(57)【特許請求の範囲】
【請求項１】
飲料が収容される容器本体と、
この容器本体に収容された飲料を飲むための柔らかい素材からなる飲み口部と、
この飲み口部に着脱可能に配置されるストローと、
この飲み口部を配置するためのベース部と、を有する飲料容器であって、
前記飲み口部には、この飲み口部が前記ベース部から前記容器本体へ脱落しないための凸部と、
前記飲み口部の突出量を規制するための突起部と、
前記ストローを接続するためのストロー接続部と、が備えられていると共に、
前記ベース部には、飲み口装着用孔が形成されており、
且つ、前記飲み口部の前記凸部がこの飲み口装着用孔の縁部を乗り越えて、前記ベース部に装着される構成となると共に、
前記突起部がこの飲み口装着用孔で止まる構成となっており、
さらに、前記飲み口部が前記飲み口装着用孔に接触して前記ベース部に装着される構成となっていることを特徴とする飲料容器。
【請求項２】
前記飲み口部の少なくとも使用者の唇が当接する部分がシリコーンゴムまたはエラストマーより構成されており、その硬度が、Ｋ６２５３加硫ゴム及び熱可塑性ゴムの硬さ試験方法におけるスプリング式（デュロメータ硬さ）で、０度乃至７０度未満で構成されることを特徴とする請求項１に記載の飲料容器。
【発明の詳細な説明】
【０００１】
【発明の属する技術分野】
本発明は、例えば、乳幼児等が飲み口部を用いて飲料を飲む練習をするための飲料容器に関するものである。
【０００２】
【従来の技術】
従来の飲料容器は、図１５に示すように構成されている。すなわち、飲料容器１０は、飲料であるジュース類を収容する容器本体１１と、この容器本体１１の側面に形成され、使用者である乳幼児が把持するための取っ手１２とを有している。また、この容器本体１１の上部には、蓋の役割を果たすベース部１３が載置され、このベース部１３には、飲み口１４が設けられている。
この飲み口１４は、容器本体１１内に収容されているジュース類と接触している図示しないストローと接続している。このため、図１５に示すように、使用者である乳幼児が、この飲み口１４をくわえて、吸い込むと、容器本体１１内のジュース類を飲むことができるようになっている。
ところで、このような飲料容器１０は、乳幼児が最終的に大人のストローでジュース類等を飲むことができるようになるために用いられるものであるため、その飲み口は乳首に近い形状を成している。
すなわち、乳幼児は当初、哺乳瓶のゴム製の乳首又は母親の乳首をくわえて、蠕動運動を行いミルクを飲んでいたため、直ぐに大人用のストローでジュース類を与えようとしても、このストローを上手に使ってジュース類を飲むことができない。このため、乳幼児がくわえる飲み口を上記乳首に近いものとして、徐々に乳首による飲料摂取から、ストローによる飲料摂取へと切り替えようとしていた。
【０００３】
【発明が解決しようとする課題】
しかしながら、乳幼児が飲み口を上記乳首に近いものから徐々に上記ストローへと変えるのには困難が伴っていた。
すなわち、飲み口１４が取り付けられている容器本体１１（カップ）方向へ脱落するという問題があった。また、飲み口１４がふらつくと、乳幼児が吸引によって飲料を摂取しにくいという問題があった。さらに、飲み口１４が設けられているベース部１３から飲料が漏出するという問題があった。
【０００４】
本発明は、以上の点に鑑み、飲み口部から飲料を摂取しやすく、飲料が漏出しにくいベース部を有する飲料容器を提供することを目的とする。
【０００５】
【課題を解決するための手段】
前記目的は、請求項１の発明によれば、飲料が収容される容器本体と、この容器本体に収容された飲料を飲むための柔らかい素材からなる飲み口部と、この飲み口部に着脱可能に配置されるストローと、この飲み口部を配置するためのベース部と、を有する飲料容器であって、前記飲み口部には、この飲み口部が前記ベース部から前記容器本体へ脱落しないための凸部と、前記飲み口部の突出量を規制するための突起部と、前記ストローを接続するためのストロー接続部と、が備えられていると共に、前記ベース部には、飲み口装着用孔が形成されており、且つ、前記飲み口部の前記凸部がこの飲み口装着用孔の縁部を乗り越えて、前記ベース部に装着される構成となると共に、前記突起部がこの飲み口装着用孔で止まる構成となっており、さらに、前記飲み口部が前記飲み口装着用孔に接触して前記ベース部に装着される構成となっている飲料容器により、達成される。
【０００６】
好ましくは、請求項２の発明によれば、請求項１の構成において、前記飲み口部の少なくとも使用者の唇が当接する部分がシリコーンゴムまたはエラストマーより構成されており、その硬度が、Ｋ６２５３加硫ゴム及び熱可塑性ゴムの硬さ試験方法におけるスプリング式（デュロメータ硬さ）で、０度乃至７０度未満で構成される飲料容器である。
【０００８】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【０００９】
（第１の実施の形態）
図１は、本発明の第１の実施の形態に係る飲料容器を示す概略図である。図１において、飲料容器１００は、飲料である例えばジュースが収容される容器本体である透明の樹脂製のカップ１１０を有している。このカップ１１０の側面には、使用者である乳幼児が手で把持するための樹脂製の取っ手１２０が設けられている。この取っ手１２０は、同じく樹脂製のリング状部材１２１により支持されており、このリング状部材１２１は、前記カップ１１０の上端部に嵌合されるようになっている。
このリング状部材１２１の上部には、樹脂製のベース部１３０が配置されている。このベース部１３０の図において下部には、カップ１１０とネジ嵌合するためのネジ溝が、その内側に設けられており、このベース部１３０をネジ嵌合させることによりリング状部材１２１も固定するようになっている。また、このベース部１３０の外周面には、使用者等が、このベース部１３０をカップ１１０に装着し易いように、指かかり部１３１が複数個、例えば８個設けられている。この指かかり部１３１は、ベース部１３０の下部の外周部に、その表面から突出するように設けられている。
また、このベース部１３０の指かかり部１３１の上部には、開閉可能な透明な樹脂製の蓋１３２と飲み口部１４０を配置するためのベース本体１３３が備えられている。
【００１０】
図２は、図１のベース部１３０の蓋１３２を開けた状態を示す斜視図である。図２においては、指かかり部１３１が省略されているベース部１３０のみが示されている。図２に示すように、ベース本体１３３には、略円形の案内部１３４が設けられている。この案内部１３４は、その外周に縁部１３４ａが形成されており、この縁部１３４ａの内周から案内部１３４の中心に向かって凹部１３４ｂが形成されている。
この凹部１３４ｂの直径Ａは、例えば３６ｍｍに形成されており、この凹部１３４ｂの凹面の曲率は、図３に示すように、使用者である例えば乳幼児の唇が閉じる際の、唇の先端の軌道を結んだ線であるＲ３６ｍｍ乃至Ｒ３８ｍｍに形成されている。
【００１１】
この凹部１３４ｂの中心には、飲み口部１４０が備えられている。この飲み口部１４０は、その外側にトレーニングタイプの飲み口部１４０ｂが配置されており、その内側にはストロータイプの飲み口部１４０ａが配置されている。このトレーニングタイプの飲み口部１４０ｂの断面形状は、図２に示すように、使用者の唇が閉じる方向に幅が狭くなる略楕円形で形成されている。
また、このトレーニングタイプの飲み口部１４０ｂは、例えばＪＩＳスプリング式で硬度が０度乃至７０度未満であり、具体的には例えば４０度に形成されている。そして、材質は、例えばシリコーンゴム又はエラストマー等により形成されている。
【００１２】
この硬度は、ＪＩＳのＫ６２５３加硫ゴム及び熱可塑性ゴムの硬さ試験方法におけるスプリング式（デュロメータ硬さ）で測定されるものである。すなわち、試験機には、試験片表面を加圧する加圧面が設けられており、この加圧面の中心には孔が設けられ、この孔からバネによって突き出されている押針が配置されている。
そして、この押針を試験片に押しつけ、押針が試験片により押し戻される距離（押し込み深さ）を硬さとして示す目盛りを読むことによって試験片の硬度を測るものである。
【００１３】
一方、このようなトレーニングタイプの飲み口部１４０ｂの内側に配置されている前記ストロータイプの飲み口部１４０ａは、その断面形状が略円形に形成されている。そして、このストロータイプの飲み口部１４０ａの硬度は、例えばＪＩＳのＫ６２５３加硫ゴム及び熱可塑性ゴムの硬さ試験方法におけるスプリング式（デュロメータ硬さ）で硬度が７０度乃至１００度であり、具体的には例えば７０度に形成されている。そして、材質は、例えばポリプロピレンやポリエチレン等で形成され、これらを射出成形又は押出成形して成るものである。
【００１４】
また、図３は図２と同様にベース部１３０の蓋１３２を開けた状態を示す斜視図である。しかし、図３においては、図２と異なり飲み口部１４０がストロータイプの飲み口部１４０ａのみから構成され、その外側にトレーニングタイプの飲み口部１４０ｂは設けられていない。
このようにベース部１３０には、凹部１３４ｂの中心には、飲み口部１４０として、その中央にストロータイプの飲み口部１４０ａを有するトレーニングタイプの飲み口部１４０ｂを備えることができるだけでなく、このトレーニングタイプの飲み口部１４０ｂを外した状態のストロータイプの飲み口部１４０ａだけを備えることもできるようになっている。
このように飲み口形状が異なる複数の飲み口部を前記ベース部１３０に備えることができるのであるが、具体的には図４及び図６に示すようにして、ベース部１３０に対して飲み口部１４０、ストロータイプの飲み口部１４０ａを取り付けることになる。
【００１５】
図４は、上記トレーニングタイプの飲み口部１４０ｂを有する飲み口部１４０がベース部１３０に取り付けられた状態を示す概略端面図である。図５は、図４の概略平面図である。
図４に示すように、ベース部１３０の案内部１３４の略中央には、飲み口部１４０をベース部１３０に装着する場合に用いられる飲み口装着用孔１３４ｃが設けられている。一方、図６に示すように、この飲み口装着用孔１３４ｃは、ストロータイプの飲み口部１４０ａを装着しようとする場合は、この飲み口装着用孔１３４ｃの内部に調整具１６０を取り付けることにより、トレーニングタイプの飲み口部１４０ｂより、その外径が小さいストロータイプの飲み口部１４０ａをベース部１３０の案内部１３４に取り付けることができるようになっている。
したがって、この飲み口装着用孔１３４ｃと調整具１６０によって共通装着部が形成されることになる。
ところで、図４に示すように、飲み口部１４０は、その内側に上記ストロータイプの飲み口部１４０ａが配置されており、その外側にトレーニングタイプの飲み口部１４０ｂが配置されるようになっている。
そして、これらストロータイプの飲み口部１４０ａとトレーニングタイプの飲み口部１４０ｂは、相互に分離可能に形成されている。
【００１６】
また、この飲み口部１４０は、図４に示すように案内部１３４の凹部１３４ｂの中心で最も凹んでいる部分に形成されている上記飲み口装着用孔１３４ｃに差し込まれて、固定されるようになっている。このとき、この飲み口部１４０のトレーニングタイプの飲み口部１４０ｂは、図４の案内部１３４を平面から見た図である図５に示すように略楕円形に形成されているため、この飲み口装着用孔１３４ｃも、同様に略楕円形に形成されている。
しかし、図４及び図５に示すように、トレーニングタイプの飲み口部１４０ｂには、凸部１４０ｈが設けられている。したがって、トレーニングタイプの飲み口部１４０ｂを飲み口用装着孔１３４ｃに装着する際、この凸部１４０ｈが飲み口用装着孔１３４ｃの縁部を乗り越えるようになっている。このように凸部１４０ｈが飲み口用装着孔１３４ｃの縁部を乗り越えることで、トレーニングタイプの飲み口部１４０ｂが、図において下方向のカップ１１０方向へ脱落しないようになっている。
【００１７】
また、このトレーニングタイプの飲み口部１４０ｂの内側には、図４に示すようにストロータイプの飲み口部１４０ａが挿入されるようになっているが、このストロータイプの飲み口部１４０ａには、図１に示す容器本体１１０内に収容される飲料である例えばジュースを、ストロータイプの飲み口部１４０ａまで搬送するストロータイプ用ストロー本体１５０を接続するためのストロー接続部１４０ｃが設けられている。
【００１８】
このストロー接続部１４０ｃには、その内側にストロータイプ用ストロー本体１５０を挿入するためのストロー挿入孔１４０ｄが設けられ、このストロー挿入孔１４０ｄにストロータイプ用ストロー本体１５０を挿入することで、ストロータイプ用ストロー１５０とストロータイプの飲み口部１４０ａとが接続されるようになっている。
この場合において、前記ストロー接続部１４０ｃの図において上下方向の長さが比較的長く形成されているため、前記ストロー挿入孔１４０ｄにおいて、ストロータイプ用ストロー本体１５０と接触する面積が大きくなり、ストロータイプ用ストロー１５０が、より強固に接続されることになる。
また、上記トレーニングタイプの飲み口部１４０ｂの図において上端部には、ストロータイプの飲み口部１４０ａの先端部が当接して、このストロータイプの飲み口部１４０ａが、トレーニングタイプの飲み口部１４０ｂの上端部から抜け出るのを防止するための抜け防止部１４０ｅが設けられている。これにより、トレーニングタイプの飲み口部１４０ｂ先端部の孔から、ストロータイプの飲み口部１４０ａが抜け出るのを有効に防ぐことができるようになっている。
【００１９】
そして、トレーニングタイプの飲み口部１４０ｂには、図示するように、突起部１４０ｆが設けられている。この突起部１４０ｆは、案内部１３４の凹部１３４ｂからのトレーニングタイプの飲み口部１４０ｂの突出量を規制すると共に、このトレーニングタイプの飲み口部１４０ｂがふらつくのを防止するためのものである。この突出量としては、具体的には、１０ｍｍ乃至２７ｍｍ未満の長さだけ突出した状態で止まるようになっているため、乳幼児が吸引によって飲料を摂取し易くなっている。
また、上記案内部１３４の凹部１３４ｂの中心に設けられている飲み口装着用孔１３４ｃには、孔部突起部１３４ｄが設けられており、この孔部突起部１３４ｄが、トレーニングタイプの飲み口部１４０ｂに沿うように形成されているため、トレーニングタイプの飲み口部１４０ｂとの接触面積が充分にとれ、トレーニングタイプの飲み口部１４０ｂのふらつきを、より効果的に防止することができることになると共に、飲み口装着用孔１３４ｃからの飲料の漏出をも有効に防止することができるようになっている。
【００２０】
このように構成されているトレーニングタイプの飲み口部１４０ｂの内径とストロータイプの飲み口部１４０ａの外径は、略同一の寸法となっている。このためストロータイプの飲み口部１４０ａをトレーニングタイプの飲み口部１４０ｂ内に挿入した場合、硬い素材からなるストロータイプの飲み口部１４０ａが、柔らかい素材からなるトレーニングタイプの飲み口部１４０ｂを広げるようにして挿入することになる。
したがって、トレーニングタイプの飲み口部１４０ｂの内径部分とストロータイプの飲み口部１４０ａの外径部分との密着性が増し、その間に余分な空気を吸い込むことがないため、使用者である乳幼児がトレーニングタイプの飲み口部１４０ｂをくわえても、このトレーニングタイプの飲み口部１４０ｂがストロータイプの飲み口部１４０ａと分離するような、不快感を感じることがないと共にストロータイプの飲み口部１４０ａにより、トレーニングタイプの飲み口部１４０ｂが潰れることを防ぐようになっている。
ところで、図４に示すストロータイプ用ストロー本体１５０は、図１に示すカップ１１０内に収容されているジュースにその一端部が浸っている。したがって、乳幼児は、トレーニングタイプの飲み口部１４０ｂをくわえて吸引することで、カップ１１０内のジュースを、ストロータイプ用ストロー本体１５０を介して飲むことができるようになっている。
【００２１】
ところで、前記ベース部１３０の蓋１３２は、図１及び図２に示すように回転ヒンジ１７０により、ベース部１３０の案内部１３４を開放又は覆うようになっている。そして、この案内部１３４を覆う、蓋１３２のドーム部１３２ａは、案内部１３４を覆う場合、そのドーム部１３２ａの頂点とトレーニングタイプの飲み口部１４０ｂの先端が当接されるようになっている。
このため、乳幼児等が飲料容器１００を携帯する場合、内部のジュース等がトレーニングタイプの飲み口部１４０ｂの先端部から溢れてしまうのを防ぐことができるようになっている。
また、このドーム部１３２ａは、透明の樹脂等により形成されているため、乳幼児等が、外側から中のトレーニングタイプの飲み口部１４０ｂを視認することができるようになっている。
図６は、図４におけるトレーニングタイプの飲み口部１４０ｂをストロータイプの飲み口部１４０ａから外し、ストロータイプの飲み口部１４０ａのみを案内部１３４の中心の飲み口装着用孔１３４ｃに挿入した状態を示す図である。また、図７は、この図６における案内部１３４を平面より見た図である。
【００２２】
図６においては、図４と異なりトレーニングタイプの飲み口部１４０ｂが存在しないため、案内部１３４の略楕円形でなる飲み口装着用孔１３４ｃの方が、略円形でなるストロータイプの飲み口部１４０ａの外径より大きく、ストロータイプの飲み口部１４０ａを案内部１３４に固定することができなくなってしまう。  したがって、このストロータイプの飲み口部１４０ａを案内部１３４に固定するため、飲み口装着用孔１３４ｃと共に共通装着部を構成する調整具１６０が備えられている。
この調整具１６０は、上述のトレーニングタイプの飲み口部１４０ｂと同様に柔らかい材質により形成され、その中心に孔を有している。そして、この調整具１６０の外側の形状は、案内部１３４の飲み口装着用孔１３４ｃと略同一の楕円形を成している。また、この調整具１６０の孔は、略円形を成しており、その内径は、前記ストロータイプの飲み口部１４０ａの外径と略同一に形成されている。したがって、この調整具１６０を案内部１３４の飲み口装着孔１３４ｃに挿入すると、比較的柔らかい調整具１６０が広がって、調整具１６０が飲み口装着孔１３４ｃに、強固に取り付けられることになる。
【００２３】
また、この調整具１６０の孔にストロータイプの飲み口部１４０ａを挿入すると、調整具１６０が広がるため、上述と同様にストロータイプの飲み口部１４０ａが調整具１６０に対して強固に取り付けられることになる。
さらに、この調整具１６０には、上述のトレーニングタイプの飲み口部１４０ｂの突起部１４０ｆと同様の役割をする調整具突起部１６０ｆが備えられている。このため、この調整具突起部１６０ｆの下部にストロータイプの飲み口部１４０ａの抜け防止突起部１４０ｇが当接し、ストロータイプの飲み口部１４０ａの上部方向への抜けを防止することができる。また、このように構成することにより、抜け防止突起部１４０ｇは、ストロータイプの飲み口部１４０ａの案内部１３４表面からの突出量を一定に、例えば１８．２ｍｍに規制する規制部の役割も果たすことになる。
さらに、この調整具１６０は、案内部１３４の孔部突起部１３４ｄに沿うように装着されるため、ストロータイプの飲み口部１４０ａのふらつきを有効に防止することができると同時に、飲み口装着用孔１３４ｃからジュース類が漏れ出すのを防ぐことができる。
【００２４】
また、この調整具１６０には、調整具ストッパ１６０ｇが設けられている。この調整具ストッパ１６０ｇにより、調整具１６０自体の下方向の抜けが有効に防止されると共に、間接的には、この調整具１６０と強固に装着されているストロータイプの飲み口部１４０ａの下方向の抜けが有効に防止されることになる。
このように、本実施の形態に係る飲料容器１００によれば、案内部１３４の略中心部に形成されている飲み口装着用孔１３４ｃと調整具１６０とを用いることにより、飲み口の形状が異なるトレーニングタイプの飲み口部１４０ｂとストロータイプの飲み口部１４０ａを単一の飲料容器１００のベース部１３０に装着することができる。
また、本実施の形態においては、ストロータイプ用ストロー本体１５０を用いるが、このストロータイプ用ストロー本体１５０には、肉厚が異なるタイプが用意されている。すなわち、ストロータイプ用ストロー本体１５０と外径が同じで内径が小さい他のストロータイプ用ストロー本体が用意されている。
この他のストロータイプ用ストロー本体を上記ストロータイプ用ストロー本体１５０の代わりにストロータイプの飲み口部１４０ａに接続することができる。  このようにストロータイプ用ストロー本体１５０より、その内径が小さい他のトレーニング用ストロー本体を用いることで、乳幼児が上記トレーニングタイプの飲み口部１４０ｂを吸引すると、より容易にジュース類を飲むことができる。
【００２５】
また、上記トレーニングタイプの飲み口部１４０ｂの案内部１３４の表面からの突出量は、図４に示すように例えば１３．２ｍｍに形成されているのに対し、上記ストロータイプの飲み口部１４０ａの突出量は、図６に示すように例えば１８．２ｍｍと成っている。したがって、乳幼児はトレーニングタイプの飲み口部１４０ｂで充分吸引運動を練習した後、ストロータイプの飲み口部１４０ａを使用する際には、より大人のストローに近い状態で、飲料容器１００内のジュース類を飲むことができることになる。
【００２６】
本実施の形態に係る飲料容器１００は、以上のように構成されているが、以下、その動作等を使用方法と共に説明する。
先ず、乳幼児等の保護者等が、図１に示す飲料容器１００のベース部１３０の指かかり部１３１の部分を把持して、ベース部１３０を回転させ、ベース部１３０をカップ１１０から取り外し、カップ１１０内に飲料である例えばジュースを必要量入れ、その後、ベース部１３０を再び、カップ１１０に装着することになる。
この状態で、保護者等は、乳幼児等に、この飲料容器１００を用いジュースを与えることになる。この乳幼児は今まで哺乳瓶の乳首でミルクを飲んでいた乳幼児又は母乳を飲んでいた乳幼児であって、乳首や母乳以外の飲み口で飲料を飲む練習をしようとする乳幼児である。
【００２７】
上述のように、飲料容器１００にジュースを入れた状態で、保護者は、先ず、蓋１３２のドーム部１３２ａを回転ヒンジ１７０を回転させながら開く状態にする。そして、大人と同じ飲み方をトレーニングする必要がある乳幼児等に、飲み口部１４０をくわえさせることになる。
このとき、乳幼児等は、今まで行ってた哺乳運動をしようとして、口を大きく開け、飲み口部１４０の先端部を、自己の哺乳窩（図８参照）に当接させようとすることになる。
しかし、ベース部１３０の案内部１３４の直径は、３６ｍｍと成っているため、この案内部１３４の外側に乳幼児等の唇は達することがなく、唇は案内部１３４の内側に接することになる。
この案内部１３４には、図２に示すように、凹部１３４ｂが形成され、その凹面の曲率は、Ｒ３６ｍｍ乃至Ｒ３８ｍｍとなっており、これは、乳幼児等の唇が閉じる際の先端の軌道と略同様となっている。このため、この案内部１３４に接した乳幼児等の唇は、自然と口をすぼめ吸引運動の口唇の形となる。
そして、その結果、乳幼児等は、哺乳運動とは異なる口をすぼめる動作を繰り返すことにより、トレーニングすることになる。
【００２８】
また、この乳幼児等がくわえる部分には、柔らかい材質からなるトレーニングタイプの飲み口部１４０ｂが配置されているため、乳幼児の口唇が当接すると、その圧力で、トレーニングタイプの飲み口部１４０ｂが変形することになる。このトレーニングタイプの飲み口部１４０ｂの変形により、乳幼児の口腔内に密閉した空間を作り易くなり、口角からのジュース等の漏れを効果的に防ぎ、トレーニングタイプの飲み口部１４０ｂの吸引によりジュース摂取の練習を行うことが可能となる。
そして、このトレーニングタイプの飲み口部１４０ｂは、乳首等と同等の柔らかさを有するため、乳幼児がトレーニングタイプの飲み口部１４０をくわえた際に感じる違和感が軽減され、乳幼児が嫌がらずにトレーニングタイプの飲み口部１４０ｂでトレーニングをすることができる。
さらに、このトレーニングタイプの飲み口部１４０ｂの内側には、比較的硬い材質からなる上記ストロータイプの飲み口部１４０ａを有しているため、トレーニングタイプの飲み口部１４０ｂが変形しても、内側のストロータイプの飲み口部１４０ａは、変形しないようになっている。このため、このストロータイプの飲み口部１４０ａと接続されているストロータイプ用ストロー本体１５０によってカップ１１０から搬送されたジュースは、ストロータイプの飲み口部１４０ａを経て、乳幼児の口腔内に運ばれることになる。
【００２９】
このとき、上述のようにストロータイプ用ストロー本体１５０より内径の小さいトレーニング用ストロー本体を用いれば、より容易に乳幼児はカップ１１０内のジュース類を口腔内に運ぶことができる。
このように、本実施の形態に係る飲料容器１００の飲み口部１４０は、乳幼児の口唇が触れる部分であるトレーニングタイプの飲み口部１４０ｂは、柔らかく形成され、ジュースが搬送される部分であるストロータイプの飲み口部１４０ａは硬く形成されているため、乳幼児の口唇の圧力により飲み口部１４０が潰れることない。また、乳児が飲み口部１４０をくわえたときの違和感を軽減することができる。
また、飲み口部１４０を構成するトレーニングタイプの飲み口部１４０ｂとストロータイプの飲み口部１４０ａとの間に余分な空気を含んでいないため、飲み口部１４０をくわえた乳幼児に、トレーニングタイプの飲み口部１４０ｂとストロータイプの飲み口部１４０ａとが分離するような違和感を感じさせることがなく、より効果的に乳幼児に対してトレーニングを行うことができる。
【００３０】
また、この飲み口部１４０のトレーニングタイプの飲み口部１４０ｂの断面形状は、乳幼児等の唇が閉じる方向に幅が狭い略楕円形を成しているため、今まで唇を確実に閉じる動作を行っていなかった乳幼児等に対して、確実に唇を閉じる動作を促すと同時に、口角からもれずらくする役割を果たすものである。
さらに乳幼児等は、必要に応じて図１に示す取っ手１２０を持つ等してカップ１１０内のジュースを上述のように、吸引し飲み込む練習をしながら飲料を摂取することになる。
このような練習が終わると、蓋１３２のドーム部１３２ａを閉状態にする。このとき、ドーム部１３２ａの頂上と飲み口部１４０の先端部が当接するため、保護者等が飲料容器１００を持ち歩いても、中のジュースが漏れ出すおそれがない。
【００３１】
さらに、乳幼児等の上記トレーニングタイプの飲み口部１４０ｂを用いた吸引によりジュース飲みが上達した場合は、飲料容器１００からこのトレーニングタイプの飲み口部１４０ｂ等を外して、案内部１３４の飲み口装着用孔１３４ｃに調整具１６０を装着する。そして、ストロータイプの飲み口部１４０ａからトレーニングタイプの飲み口部１４０ｂを外し、ストロータイプの飲み口部１４０ａのみを調整具１６０を介して案内部１３４に装着する。このとき、上述のようにストロータイプの飲み口部１４０ａの案内部１３４表面からの突出量を例えば１８．２ｍｍにすれば、乳幼児は上述の哺乳窩を用いる哺乳運動はできなくなり、大人と同じ吸引動作により、ストロータイプの飲み口部１４０ａの先端をくわえてカップ１１０内のジュースをストローで飲む練習をすることができる。
以上のように、本実施の形態によれば、乳幼児等に段階的にストロー飲みの練習を同一の飲料容器１００で行うことができる。
【００３２】
（参考例）
図９は、参考例に係る飲料容器３００の要部を示す概略断面図である。図９において、飲料容器３００は、飲料である例えばジュースが収容される容器本体３１０と、開閉可能に形成されている蓋部３２０とを有している。
また、この容器本体３１０内に収容されたジュースを搬送するためのストローが容器本体３１０の上部に設けられたベース部３３０に接続されている。
このベース部３３０には、屈曲部材であるチューブ３６０を介して飲み口部材３４０が設けられている。
この飲み口部材３４０は、第１の実施の形態と同様で、その外側に柔らかい部材で形成されているトレーニングタイプの飲み口部３４０ｂが配置され、このトレーニングタイプの飲み口部３４０ｂの内側には、硬い部材で形成されているストロータイプの飲み口部３４０ａが配置されている。
しかし、本参考例では、第１の実施の形態と異なり、チューブ３６０に対してストロータイプの飲み口部３４０ａが接続され、このストロータイプの飲み口部３４０ａを覆うようにトレーニングタイプの飲み口部３４０ｂが配置される構成となっている。そして、このトレーニングタイプの飲み口部３４０ｂは、前記ストロータイプの飲み口部３４０ａと分離可能となっている。
【００３３】
このように形成された飲み口部材３４０は、チューブ３６０を介してベース部３３０、そしてストロー３５０と接続されている。
また、前記蓋部３２０と飲み口部材３４０は、回動部材３７０と連結されている。したがって、使用者が蓋部３２０を操作して、参考例である図１０に示すように閉状態にしようとすると、この回動部材３７０も回動中心３７０ａを中心に図において左回りを始めることになる。
この回動部材３７０は、飲み口部材３４０と係合部３７０ｂで係合されているため、飲み口部材３４０は、図１０に示すように容器本体３１０内に引き込まれることになる。このとき、飲み口部材３４０に接続されているチューブ３６０は、折り曲がるため、飲み口部材３４０は、容器本体３１０内に収容され、図１０に示すように、蓋部３２０に覆われ、格納されることになる。
逆に、蓋部３２０を開状態にするときは、上述と逆の動きをして、飲み口部材３４０は、飲料容器３００から突出した状態、すなわち図９に示す状態となる。このように使用者が蓋部３２０の開閉を行うだけで、飲み口部材３４０が連動して突出又は格納する構造なので、保護者等は簡単な動作で乳幼児に飲料容器３００内のジュースを与えることができる。
【００３４】
また、本参考例に係る飲料容器３００では、飲み口部材３４０の表面、すなわち乳幼児の口唇が直接、当接する部分には、柔らかい材質からなるトレーニングタイプの飲み口部３４０ｂが配置されているため、第１の実施の形態と同様に、乳幼児は口唇に違和感を感じることなく、飲み口部材３４０よりジュースを飲むことができる。
また、この場合において、このトレーニングタイプの飲み口部３４０ｂの断面形状が、乳幼児の口唇が閉じる方向に幅が狭い略楕円形に形成されている場合は、第１の実施の形態と同様に、今まで口唇を確実に閉じる動作を行っていなかった乳幼児に対し確実に口唇を閉じる動作を促すと共に、口角からジュースをもれずらくすることになる。
そして、このように、トレーニングタイプの飲み口部３４０ｂを用いた乳幼児によるジュース飲みが上達した場合、このトレーニングタイプの飲み口部３４０ａを参考例である図１１に示すように、取り外すことになる。このようにトレーニングタイプの飲み口部３４０ａを取り外すと、飲み口部材３４０はストロータイプの飲み口部３４０ａのみから形成されることになる。
【００３５】
このストロータイプの飲み口部３４０ａは、第１の実施の形態と同様に、硬い材質から形成されていると共に、その断面は略正円となっており通常の大人が用いるストローと略同様の形状を成している。したがって、このストロータイプの飲み口部３４０ａを乳幼児が用いることにより大人と同じストローを使ったジュース飲みの練習をすることができる。
以上のように本参考例に係る飲料容器３００によれば、単一の飲料容器３００を用いて、乳幼児に段階的にストロー飲みの練習を行うことができる。
【００３６】
（第２の実施の形態）
図１２は、本発明の第２の実施の形態にかかる飲料容器４００の飲み口部４４０等を示す概略断面図である。
本実施の形態にかかる飲料容器４００は、上述の第１の実施の形態にかかる飲料容器１００と多くの構成が同様であるため、同様の構成は第１の実施の形態と同一の符号とする等して、その説明を省略する。
本実施の形態の飲料容器４００は、上述の第１の実施の形態と異なり飲み口部４４０の構成が異なる。
すなわち、第１の実施の形態では、飲み口部１４０は、その外側にトレーニングタイプの飲み口１４０ｂが配置され、内側にはストロータイプの飲み口１４０ａが配置されるようになっている。そして、これらトレーニングタイプの飲み口１４０ｂとストロータイプの飲み口１４０ａは、相互に分離可能に形成されている。
【００３７】
これに対して、本実施の形態に係る飲料容器４００のトレーニングタイプの飲み口部４４０は、２色成形で、柔軟層４４０ｂの内側に硬質層４４０ａが一体的に形成されており、その下部にストロータイプの飲み口部となり得るストローが、飲み口としてではなく、飲料搬送用ストローとして連結されている。この柔軟層４４０ｂは、シリコーンゴム又はエラストマー等の柔らかい材質で形成されている
また、柔軟層４４０ｂには、嵌合凹部４４０ｃが複数個、設けられている。そして、この嵌合凹部４４０ｃに対応するように、内側に配置されている硬質層４４０ａには、嵌合凸部４４０ｄが形成されている。この硬質層４４０ａは、第１の実施の形態のストロータイプの飲み口１４０ａと同様の材質等により形成されている。
したがって、これら嵌合凹部４４０ｃと嵌合凸部４４０ｄとが相互に嵌合されるように、上述２色成形が行われると、これら柔軟層４４０ｂと硬質層４４０ａとがより強固に接合される。
【００３８】
また、このトレーニングタイプの飲み口部４４０には、第１の実施の形態と同様に、ストロー接続部４４０ｅやストロー挿入孔４４０ｆが設けられている。このため、このトレーニングタイプの飲み口部４４０が、飲料容器４００の案内部１３４に設けられた飲み口装着用孔１３４ｃに図１２に示すように装着されたときは、ストローが飲料搬送用ストローとして、上記ストロー挿入孔４４０ｆに挿入され、ストロー接続部４４０ｅに配置されることになる。
したがって、飲料容器４００内の飲料はストローを介してトレーニングタイプの飲み口部４４０に導入され、使用者である乳幼児等が飲むことになる。
ところで、このトレーニングタイプの飲み口部４４０は、硬質層４４０ａが柔軟層４４０ｂの内側に分離不可能な状態で配置されている。
【００３９】
したがって、第１の実施の形態のように、乳幼児等の飲み方が上達し、保護者が乳幼児等に通常のストローでの飲み方を練習させたいと考えた場合は、このトレーニングタイプの飲み口部４４０を取り外し、上述の飲料搬送用としてストロー接続部４４０ｅに連結されていたストローをストロータイプの飲み口部としてこの飲料容器４００に装着することになる。
具体的には、第２の実施の形態である図１３及び図１４に示すように飲料容器４００の案内部１３４に設けられた飲み口装着用孔１３４ｃに、図１３に示すストロー用調整具４５０を装着する。
このストロー用調整具４５０は、図１３に示すように、その内部にストローを挿入させるためのストロー挿入孔４５０ｄが形成されている。また、このストロー用調整具４５０は、第１の実施の形態のトレーニングタイプの飲み口部１４０ｂと同様に例えばシリコーンゴム又はエラストマー等の柔らかい材質で形成されていることで、ストローを確実に固定すると同時に、開口とされている案内部１３４からの飲料の漏れを防ぐ。
【００４０】
このようなストロー用調整具４５０を用いるのは、飲料搬送用として連結されていた通常のストローの径が図１２の飲み口部４４０の径より小さいため、そのまま飲料容器４００の案内部１３４の飲み口装着用孔１３４ｃに挿入すると、ストローが飲み口装着用孔１３４ｃに保持されないからである。
すなわち、このストロー用調整具４５０は、図１３に示すように飲み口装着用孔１３４ｃにしっかりと装着されるようになっている。そして、ストロー用調整具４５０のストロー挿入孔４５０ｄは、通常のストローの外形と同等又はやや小さな径となっているため、ストローが容易に脱落しないようになっている。
したがって、保護者が飲料容器４００で通常のストローで飲料を飲む練習を乳幼児にさせたい場合は、先ず、図１２のトレーニングタイプの飲み口部４４０を飲み口装着用孔１３４ｃから取り外し、代わりに、図１３に示すストロー用調整具４５０を装着する。
このとき、このストロー用調整具４５０には、図１３に示すように脱落防止用凸部４５１が形成されているので、ストロー用調整具４５０が容易に飲み口装着用孔１３４ｃから脱落することがない。
【００４１】
また、直接に飲み口装着用孔１３４ｃと接触する部分である、装着部４５２は、その外形が、飲み口装着用孔１３４ｃと同様の径及び形状となっているので、装着部４５２は、図１３に示すように精度良く飲み口装着用孔１３４ｃに装着されることになる。
さらに、ストロー用調整具４５０は、ベース部４５３を有している。このベース部４５３の表面には、図１３に示すように、案内部１３４の一部が当接するようになっているので、ストロー用調整具４５０は、より強固に案内部１３４に装着されることになる。
このように装着されたストロー調整具４５０のストロー挿入孔４５０ｄに上述のトレーニングタイプの飲み口部４４０に飲料搬送用として連結されていたストローを挿入し、ストローの先端部が、案内部１３４から所定の高さだけ突出するように調整する。このストローの突出量は、保護者が任意の突出量に調整することができる。
【００４２】
このとき、ストロー挿入孔４５０ｄの内径が通常のストローの外径と略同等又はやや小さな径に形成され、且つストロー調整具４５０は柔らかな材質で形成されているので、ストローをストロー挿入孔４５０ｃに挿入すると、ストローはストロー挿入孔４５０ｃ内でしっかりと保持されることになる。
このように、ストローがストロー挿入孔４５０ｃ内でしっかりと保持されるため、上述のようにストローの突出量も保護者の任意の量に定めることが容易にできる。
なお、図１４は、図１３のストロー用調整具４５０を底面より見た概略図である。
【００４３】
以上のように本実施の形態では、保護者が乳幼児にジュース飲みを練習させるときは、先ず図１２に示すトレーニングタイプの飲み口部４４０で練習する。
その後、トレーニングタイプの飲み口部４４０に飲料搬送用として連結されていたストローを、トレーニングタイプの飲み口部４４０から取り外し、ストロー用調整具４５０を用いて、ストロータイプの飲み口部として装着し、ジュース飲みを練習することができる。
したがって、第１の実施の形態のように飲み口部１４０のトレーニングタイプの飲み口部１４０ｂとストロータイプの飲み口部１４０ａとを分離させる必要がないので、保護者の飲料容器４００の取り扱いが便利となる。
【００４４】
【発明の効果】
以上述べたように、本発明によれば、飲み口部から飲料を摂取しやすく、飲料が漏出しにくいベース部を有する飲料容器を提供することができる。
【図面の簡単な説明】
【図１】本発明の第１の実施の形態に係る飲料容器を示す概略図である。
【図２】図１のベース部の蓋を開けた状態を示す概略斜視図である。
【図３】図１のベース部にトレーニングタイプの飲み口部のみを取り付けた状態を示す概略斜視図である。
【図４】図２のベース部と飲み口部との関係を示す一部概略断面図である。
【図５】図４の案内部を平面から見た概略平面図である。
【図６】図３のベース部と飲み口部との関係を示す一部概略断面図である。
【図７】図６の案内部を平面から見た概略平面図である。
【図８】乳幼児等の上顎である硬口蓋方向を下から見た概略図である。
【図９】参考例に係る飲料容器の要部を示す概略断面図である。
【図１０】参考例に係る図９の飲料容器の蓋部を閉めた状態を示す概略断面図である。
【図１１】参考例に係る図９の飲料容器の飲み口部材からトレーニングタイプの飲み口部を取り外した状態を示す概略断面図である。
【図１２】本発明の第２の実施の形態に係る飲料容器の要部を示す概略断面図である。
【図１３】第２の実施の形態にかかる飲料容器にストロー用調整具を取り付けた状態を示す部分概略断面図である。
【図１４】図１３のストロー用調整具の概略底面図である。
【図１５】従来の飲料容器を示す概略図である。
【符号の説明】
１００、３００、４００・・・飲料容器、１１０・・・カップ、１２０・・・取っ手、１２１・・・リング状部材、１３０、３３０・・・ベース部、１３１・・・指かかり部、１３２・・・蓋、１３２ａ・・・ドーム部、１３３・・・ベース本体、１３４・・・案内部、１３４ａ・・・縁部、１３４ｂ・・・凹部、１３４ｃ・・・飲み口装着用孔、１３４ｄ・・・孔部突起部、１４０・・・飲み口部、１４０ａ、３４０ａ・・・ストロータイプの飲み口部，１４０ｂ，３４０ｂ、４４０・・・トレーニングタイプの飲み口部、１４０ｃ、４４０ｅ・・・ストロー接続部、１４０ｄ、４４０ｄ・・・ストロー挿入孔、１４０ｅ・・・抜け防止部、１４０ｆ・・・突起部、１４０ｇ・・・抜け防止突起部、１４０ｈ・・・凸部、１５０・・・ストロータイプ用ストロー本体、１６０・・・調整具、１６０ｆ・・・調整具突起部、１６０ｇ・・・調整部ストッパ、１７０・・・回転ヒンジ、３１０・・・容器本体、３２０・・・蓋部、３４０・・・飲み口部材、３５０・・・ストロー、３６０・・・チューブ、３７０・・・回動部材、４４０ａ・・・硬質層、４４０ｂ・・・軟質層、４４０ｃ・・・嵌合凹部、４４０ｄ・・・嵌合凸部、４５０・・・ストロー用調整具、４５０ｄ・・・ストロー挿入孔、４５１・・・脱落防止用凸部、４５２・・・装着部、４５３・・・ベース部
【図１】
0003576122.tif 000002
【図２】
0003576122.tif 000003
【図３】
0003576122.tif 000004
【図４】
0003576122.tif 000005
【図５】
0003576122.tif 000006
【図６】
0003576122.tif 000007
【図７】
0003576122.tif 000008
【図８】
0003576122.tif 000009
【図９】
0003576122.tif 000010
【図１０】
0003576122.tif 000011
【図１１】
0003576122.tif 000012
【図１２】
0003576122.tif 000013
【図１３】
0003576122.tif 000014
【図１４】
0003576122.tif 000015
【図１５】
0003576122.tif 000016